(57)【要約】【課題】  ユーザ設定値の利用を促進する。【解決手段】  一実施形態に係る情報処理装置は、対象項目のデフォルト設定値に応じた画面を表示する表示部と、ユーザの操作ログに基づいて、前記対象項目の前記デフォルト設定値の利用頻度を集計する集計部と、前記集計部による集計結果に基づいて、前記対象項目のユーザ設定値を有効化するか判定する判定部と、を備える。【選択図】  図２
2018132972.tif 000002
【特許請求の範囲】
【請求項１】
対象項目のデフォルト設定値に応じた画面を表示する表示部と、
ユーザの操作ログに基づいて、前記対象項目の前記デフォルト設定値の利用頻度を集計する集計部と、
前記集計部による集計結果に基づいて、前記対象項目のユーザ設定値を有効化するか判定する判定部と、
を備える情報処理装置。
【請求項２】
前記表示部は、前記判定部により前記ユーザ設定値を有効化すると判定された場合、前記ユーザ設定値の有効化を提案する提案メッセージを表示する
請求項１に記載の情報処理装置。
【請求項３】
前記判定部は、前記提案メッセージに対して、前記ユーザ設定値を有効化するという回答を受け付けた場合、前記ユーザ設定値を有効化する
請求項２に記載の情報処理装置。
【請求項４】
前記判定部は、前記ユーザ設定値を有効化すると判定した場合、前記ユーザ設定値を有効化する
請求項１に記載の情報処理装置。
【請求項５】
前記判定部は、前記デフォルト設定値の前記利用頻度が所定値未満の場合、前記ユーザ設定値を有効化すると判定する
請求項１乃至請求項４のいずれか１項に記載の情報処理装置。
【請求項６】
前記対象項目は、ホーム画面にアイコンを配置されるアプリケーション又は優先起動アプリケーションである
請求項１乃至請求項５のいずれか１項に記載の情報処理装置。
【請求項７】
前記判定部は、全てのユーザの前記集計結果に基づいて、前記全てのユーザに対して、前記ユーザ設定値を有効化するか判定する
請求項１乃至請求項６のいずれか１項に記載の情報処理装置。
【請求項８】
前記判定部は、各ユーザの前記集計結果に基づいて、前記各ユーザに対して、前記ユーザ設定値を有効化するか判定する
請求項１乃至請求項６のいずれか１項に記載の情報処理装置。
【請求項９】
対象項目のデフォルト設定値に応じた画面を表示する表示工程と、
ユーザの操作ログに基づいて、前記対象項目の前記デフォルト設定値の利用頻度を集計する集計工程と、
前記集計工程による集計結果に基づいて、前記対象項目のユーザ設定値を有効化するか判定する判定工程と、
を備える情報処理方法。
【請求項１０】
対象項目のデフォルト設定値に応じた画面を表示する表示工程と、
ユーザの操作ログに基づいて、前記対象項目の前記デフォルト設定値の利用頻度を集計する集計工程と、
前記集計工程による集計結果に基づいて、前記対象項目のユーザ設定値を有効化するか判定する判定工程と、
をコンピュータに実行させるためのプログラム。
【発明の詳細な説明】
【技術分野】
【０００１】
本発明は、情報処理装置、情報処理方法及びプログラムに関する。
【背景技術】
【０００２】
従来、デフォルト設定値とは別に、ユーザ毎に設定されたユーザ設定値を利用可能な画像形成装置が知られている。この画像形成装置では、ユーザのログイン時にはユーザ設定値を利用し、非ログイン時にはデフォルト設定値を利用する、というように、利用する設定値を切り替えることができる。
【発明の概要】
【発明が解決しようとする課題】
【０００３】
しかしながら、上記従来の画像形成装置では、管理者が、設定値を切り替えられることを知らない場合や、設定値の切り替えを不要と考えている場合、ユーザ設定値が無効化されることがあった。この場合、ユーザがログインしても、ユーザ設定値を利用できないため、ユーザの利便性が低下するという問題があった。
【０００４】
本発明は、上記の課題に鑑みてなされたものであり、ユーザ設定値の利用を促進することを目的とする。
【課題を解決するための手段】
【０００５】
一実施形態に係る情報処理装置は、対象項目のデフォルト設定値に応じた画面を表示する表示部と、ユーザの操作ログに基づいて、前記対象項目の前記デフォルト設定値の利用頻度を集計する集計部と、前記集計部による集計結果に基づいて、前記対象項目のユーザ設定値を有効化するか判定する判定部と、を備える。
【発明の効果】
【０００６】
本発明の各実施形態によれば、ユーザ設定値の利用を促進することができる。
【図面の簡単な説明】
【０００７】
【図１】画像形成装置のハードウェア構成の一例を示す図。
【図２】画像形成装置の機能構成の一例を示す図。
【図３】操作ログの一例を示す図。
【図４】第１実施形態における画像形成装置の処理の一例を示すフローチャート。
【図５】印刷アプリのトップ画面の一例を示す図。
【図６】第１実施形態におけるホーム画面の一例を示す図。
【図７】第１実施形態における画像形成装置の処理の一例を示すフローチャート。
【図８】第１実施形態におけるデフォルト設定値の利用頻度の一例を示す図。
【図９】提案メッセージを表示する画面の一例を示す図。
【図１０】第１実施形態における優先起動アプリの利用状況を表示する画面の一例を示す図。
【図１１】第２実施形態におけるホーム画面の一例を示す図。
【図１２】第２実施形態における画像形成装置の処理の一例を示すフローチャート。
【図１３】第２実施形態における画像形成装置の処理の一例を示すフローチャート。
【図１４】第２実施形態におけるデフォルト設定値の利用頻度の一例を示す図。
【図１５】第２実施形態における提案メッセージを表示する画面の一例を示す図。
【図１６】第２実施形態におけるホームアプリの利用状況を表示する画面の一例を示す図。
【図１７】図７のフローチャートの変形例。
【図１８】画像形成システムの一例を示す図。
【発明を実施するための形態】
【０００８】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【０００９】
＜第１実施形態＞
第１実施形態に係る情報処理装置について、図１〜図１０を参照して説明する。本実施形態に係る情報処理装置は、対象項目に対してデフォルト設定値及びユーザ設定値をそれぞれ設定可能であり、利用する設定値を切り替え可能な任意の装置で有り得る。ここでいう対象項目とは、情報処理装置が有する設定項目のうち、設定値をデフォルト設定値とユーザ設定値との間で切り替え可能な設定項目のことである。対象項目が１つであってもよいし、複数であってもよい。デフォルト設定値とは、対象項目の設定値として予め設定された設定値のことである。ユーザ設定値とは、対象項目の設定値として、ユーザ毎に設定された設定値のことである。以下では、情報処理装置が画像形成装置である場合を例に説明する。
【００１０】
本実施形態に係る画像形成装置は、コピー装置、スキャン装置、印刷装置及びＭＦＰ（Multi-Function Peripheral）などの、画像形成機能を有する任意の装置で有り得る。ＭＦＰは、コピー機能、スキャン機能及び印刷機能などの複数の画像形成機能を有する複合機である。
【００１１】
まず、画像形成装置１のハードウェア構成について説明する。図１は、画像形成装置１のハードウェア構成の一例を示す図である。図１の画像形成装置１は、ＣＰＵ（Central Processing Unit）１０１と、ＲＯＭ（Read Only Memory）１０２と、ＲＡＭ（Random Access Memory）１０３と、ＨＤＤ（Hard Disk Drive）１０４と、入力装置１０５と、表示装置１０６と、を備える。また、画像形成装置１は、通信インタフェース１０７と、エンジン部１０８と、バス１０９と、を備える。
【００１２】
ＣＰＵ１０１は、プログラムを実行することにより、画像形成装置１の各構成を制御し、画像形成装置１の機能を実現する。
【００１３】
ＲＯＭ１０２は、ＣＰＵ１０１が実行するプログラム（ＢＩＯＳ（Basic Input Output System）など）や各種のデータを記憶する。
【００１４】
ＲＡＭ１０３は、ＣＰＵ１０１に作業領域を提供する。
【００１５】
ＨＤＤ１０４は、ＣＰＵ１０１が実行するプログラム（ＯＳ（Operating System）など）や各種のデータを記憶する。
【００１６】
入力装置１０５は、ユーザの操作に応じた情報を画像形成装置１に入力する。入力装置１０５には、タッチパネル、キーボード、マウス、ハードウェアボタンなどが含まれる。
【００１７】
表示装置１０６は、ユーザの操作に応じた画面を表示する。表示装置１０６は、液晶ディスプレイ、有機ＥＬ（Electro Luminescence）ディスプレイなどで有り得る。入力装置１０５及び表示装置１０６は、操作パネルとして一体に構成されてもよい。
【００１８】
通信インタフェース１０７は、画像形成装置１をインターネットやＬＡＮ（Local Area Network）などのネットワークに接続し、ネットワーク上の外部装置との通信を制御する。画像形成装置１は、通信インタフェース１０７を介して、外部装置と通信する。
【００１９】
エンジン部１０８は、画像形成装置１の画像形成機能を実現するハードウェアである。エンジン部１０８には、コピー装置、スキャナ装置、印刷装置及び搬送装置などが含まれる。
【００２０】
バス１０９は、ＣＰＵ１０１、ＲＯＭ１０２、ＲＡＭ１０３、ＨＤＤ１０４、入力装置１０５、表示装置１０６、通信インタフェース１０７及びエンジン部１０８を相互に接続する。
【００２１】
次に、画像形成装置１の機能構成について説明する。図２は、画像形成装置１の機能構成の一例を示す図である。図２の画像形成装置１は、認証情報記憶部１１と、認証部１２と、操作受付部１３と、操作ログ記憶部１４と、集計部１５と、決定部１６と、表示部１７と、判定部１８と、設定値記憶部１９と、を備える。これらの各機能構成は、ＲＯＭ１０２やＨＤＤ１０４に記憶されたプログラムをＣＰＵ１０１が実行することにより実現される。また、認証情報記憶部１１、操作ログ記憶部１４及び設定値記憶部１９は、ＲＯＭ１０２、ＲＡＭ１０３及びＨＤＤ１０４などにより実現される。
【００２２】
認証情報記憶部１１は、画像形成装置１を利用可能なユーザとして予め登録されたユーザ及び画像形成装置１の管理者の認証情報を記憶する。認証情報には、ユーザ（管理者）ＩＤ及びパスワードが含まれる。ユーザ（管理者）ＩＤは、ユーザ（管理者）を識別するための識別子である。
【００２３】
認証部１２は、ユーザ（管理者）から入力された認証情報に基づいて、ユーザ（管理者）を認証する。認証情報は、入力装置１０５を介して入力されてもよいし、通信インタフェース１０７を介して外部装置（ＰＣ（Personal Computer）など）から入力されてもよい。認証部１２は、ユーザ（管理者）から入力された認証情報と一致する認証情報が認証情報記憶部１１に記憶されている場合、ユーザを認証する。一方、認証部１２は、ユーザ（管理者）から入力された認証情報と一致する認証情報が認証情報記憶部１１に記憶されていない場合、ユーザを認証しない。ユーザ（管理者）は、認証部１２に認証されることにより、画像形成装置１にログインできる。
【００２４】
操作受付部１３は、入力装置１０５を介して入力されたユーザ（管理者）の操作（情報）を受け付ける。ユーザの操作には、電源のＯＮ及びＯＦＦ、画面の切り替え、アプリケーション（以下、「アプリ」という）の起動及び終了、画像形成機能の実行、及び認証情報などの入力などが含まれる。
【００２５】
操作ログ記憶部１４は、操作ログを記憶する。操作ログとは、ユーザによる操作の内容を示す情報である。ここで、図３は、操作ログ記憶部１４に記憶される操作ログの一例を示す図である。図３の各レコードが、各操作に対応する操作ログに相当する。図３の各操作ログには、情報項目として、操作ＩＤ（ＨＩＤ）、ユーザＩＤ（ＵＩＤ）、操作時刻及び操作内容が含まれる。操作ＩＤは、操作を識別するための識別子であり、操作ログ記憶部１４に操作ログを記憶する際に割り当てられる。ユーザＩＤは、操作を実行したユーザ（操作の実行時にログインしているユーザ）のユーザＩＤである。操作時刻は、操作が実行された時刻である。操作内容は、実行された操作の内容である。例えば、図３の１行目のレコードは、操作ＩＤがＨ００１、ユーザＩＤがＵ００１、操作時刻が１７：００：００、操作内容がログインである。
【００２６】
集計部１５は、操作ログ記憶部１４に記憶された操作ログに基づいて、対象項目のデフォルト設定値の利用頻度をユーザ毎に集計する。
【００２７】
決定部１６は、対象項目のユーザ設定値が有効化された場合、各ユーザのユーザ設定値を決定する。決定部１６は、ユーザや管理者により指定された設定値を、ユーザ設定値として決定してもよいし、集計部１５による集計結果や操作ログ記憶部１４に記憶された操作ログに基づいて、ユーザ設定値を決定してもよい。
【００２８】
ユーザ設定値の有効化とは、ユーザのログイン中にユーザ設定値を利用し、ユーザの非ログイン中にデフォルト設定値を利用する、というように、対象項目の設定値を、デフォルト設定値とユーザ設定値との間で切り替え可能にすることをいう。本実施形態では、ユーザ設定値が有効化されていない（無効化されている）場合、ユーザがログインしているか否かにかかわらず、対象項目の設定値として、デフォルト設定値が利用される。
【００２９】
表示部１７は、ユーザの操作、認証部１２による認証結果、及び判定部１８による判定結果などに応じた画面を表示装置１０６に表示する。
【００３０】
判定部１８は、集計部１５による集計結果に基づいて、対象項目のユーザ設定値を有効化するか否か判定する。具体的には、判定部１８は、対象項目のデフォルト設定値の利用頻度が所定値未満の場合、ユーザ設定値を有効化すると判定する。これは、利用頻度が所定値未満の場合、デフォルト設定値より利用頻度が高い設定値をユーザ設定値として設定し、当該ユーザ設定値を有効化した方が、ユーザの利便性が向上すると考えられるためである。一方、判定部１８は、対象項目のデフォルト設定値の利用頻度が、所定値以上の場合、ユーザ設定値を有効化しないと判定する。これは、デフォルト設定値の利用頻度が所定値以上の場合、ユーザ設定値を有効化しなくても、ユーザの利便性は高いと考えられるためである。
【００３１】
設定値記憶部１９は、対象項目のデフォルト設定値及びユーザ設定値を記憶する。また、設定値記憶部１９は、ユーザ設定値の有効及び無効を管理する。ユーザ設定値の有効及び無効は、例えば、有効フラグにより管理される。有効フラグは、ユーザ設定値の有効及び無効を示すフラグであり、設定値記憶部１９に記憶される。有効フラグの１は、ユーザ設定値が有効であることを示し、有効フラグの０は、ユーザ設定値が無効であることを示す。
【００３２】
次に、本実施形態に係る画像形成装置１が実行する処理について説明する。本実施形態では、対象項目が優先起動アプリである場合について説明する。優先起動アプリとは、ユーザのログイン時に優先的（自動的）に起動するアプリのことである。すなわち、本実施形態では、ユーザのログイン後に、ホーム画面ではなく、優先起動アプリのトップ画面が表示される画像形成装置１を想定している。以下では、ユーザが画像形成装置１を利用する場合の処理と、管理者が画像形成装置１を利用する場合の処理と、についてそれぞれ説明する。
【００３３】
図４は、ユーザが画像形成装置１を利用する場合の画像形成装置１の処理の一例を示すフローチャートである。図４のフローチャートの開始時点で、ユーザ設定値は無効化されている（有効フラグが０である）ものとする。
【００３４】
まず、ユーザが画像形成装置１にログインする（ステップＳ１０１）。具体的には、ユーザは、認証情報を入力する。認証部１２は、入力された認証情報が、認証情報記憶部１１に記憶された認証情報と一致するか判定する。認証部１２は、認証情報が一致する場合、ユーザを認証する。これにより、ユーザは、画像形成装置１にログインする。
【００３５】
ユーザがログインすると、表示部１７は、設定値記憶部１９に記憶された有効フラグを確認する。有効フラグは０である（ユーザ設定値は無効化されている）ため、表示部１７は、デフォルト設定値として設定されている優先起動アプリを起動し、優先起動アプリのトップ画面を表示装置１０６に表示する（ステップＳ１０２）。ここでは、優先起動アプリのデフォルト設定値として、印刷機能を利用するための印刷アプリが設定されているものとする。この場合、表示部１７は、ユーザがログインすると、印刷アプリを起動し、印刷アプリのトップ画面を表示装置１０６に表示する。
【００３６】
図５は、印刷アプリのトップ画面の一例を示す図である。図５のトップ画面には、複数の設定項目ボタンと、スタートボタンと、設定表示欄（印刷設定）と、戻るボタン（Ｂａｃｋ）と、ホームボタン（ＨＯＭＥ）と、メニューボタン（ＭＥＮＵ）と、が表示されている。設定項目ボタンは、印刷設定（色、変倍及び部数など）を設定するためのボタンである。設定項目ボタンを選択すると、対応する印刷設定の設定値を選択するための設定画面が表示される。スタートボタンは、印刷設定に従って印刷を実行するためのボタンである。設定表示欄は、選択中の印刷設定の設定値を表示する欄である。戻るボタンは、表示中の画面より１つ上の階層の画面を表示するためのボタンである。ホームボタンは、ホーム画面を表示するためのボタンである。メニューボタンは、各アプリに共通の設定項目を設定するためのボタンである。
【００３７】
ユーザは、印刷アプリ（優先起動アプリ）を利用する場合（ステップＳ１０３のＹＥＳ）、表示中の印刷アプリのトップ画面から、印刷アプリを操作する（ステップＳ１０７）。そして、ユーザは、所望の操作を終了後、画像形成装置１からログアウトする（ステップＳ１０６）。
【００３８】
一方、ユーザは、印刷アプリを利用しない場合（ステップＳ１０３のＮＯ）、すなわち、印刷アプリとは異なる他のアプリを利用したい場合、当該他のアプリを起動する。具体的には、ユーザは、印刷アプリのトップ画面に表示された戻るボタンやホームボタンを選択することにより、ホーム画面を表示し、ホーム画面に表示された他のアプリのアプリアイコンを選択する。ここでは、他のアプリは、コピー機能を利用するためのコピーアプリであるものとする。この場合、ユーザは、ホーム画面を表示し、ホーム画面に表示されたコピーアプリ（他のアプリ）のアプリアイコンを選択する。
【００３９】
図６は、本実施形態におけるホーム画面の一例を示す図である。図６のホーム画面には、複数のアプリアイコンと、戻るボタン（Ｂａｃｋ）と、ホームボタン（ＨＯＭＥ）と、メニューボタン（ＭＥＮＵ）と、が表示されている。アプリアイコンは、対応するアプリ（コピーアプリ、スキャンアプリ及びファックスアプリなど）を起動するためのボタンである。
【００４０】
ユーザが、コピーアプリのアプリアイコンを選択すると、表示部１７は、コピーアプリを起動し、コピーアプリのトップ画面を表示装置１０６に表示する（ステップＳ１０４）。
【００４１】
その後、ユーザは、表示中のコピーアプリのトップ画面から、コピーアプリを操作する（ステップＳ１０５）。そして、ユーザは、所望の操作を終了後、画像形成装置１からログアウトする（ステップＳ１０６）。
【００４２】
なお、操作受付部１３は、以上のステップＳ１０１〜Ｓ１０７におけるユーザの操作をそれぞれ受け付け、受け付けた操作に関する情報（認証情報や他のアプリを示す情報など）を認証部１２や表示部１７に渡す。認証部１２や表示部１７は、操作受付部１３から受け取った情報に基づいて、上記の処理を実行する。また、操作受付部１３は、操作を受け付けるごとに、受け付けた操作の操作ログを生成し、操作ログ記憶部１４に記憶させる。これにより、操作ログ記憶部１４には、図３のような操作ログが記憶される。
【００４３】
図７は、管理者が画像形成装置１を利用する場合の画像形成装置１の処理の一例を示すフローチャートである。ここでいう管理者とは、ユーザ設定値を有効化する権限を有する、画像形成装置１の管理者のことである。以下では、対象項目は優先起動アプリであるものとする。また、図７のフローチャートの開始時点で、ユーザ設定値は無効化されているものとする。
【００４４】
まず、管理者が画像形成装置１にログインする（ステップＳ２０１）。具体的には、管理者は、認証情報を入力する。認証部１２は、入力された認証情報が、認証情報記憶部１１に記憶された認証情報と一致するか判定する。認証部１２は、認証情報が一致する場合、管理者を認証する。これにより、管理者は、画像形成装置１にログインする。管理者がログインすると、表示部１７は、管理画面を表示装置１０６に表示する。
【００４５】
また、管理者がログインすると、集計部１５は、操作ログ記憶部１４に記憶された操作ログに基づいて、優先起動アプリのデフォルト設定値の利用頻度をユーザ毎に集計する（ステップＳ２０２）。
【００４６】
まず、集計部１５は、ユーザ毎に、ログイン回数Ａと、切替回数Ｂと、をそれぞれ集計する。
【００４７】
ログイン回数Ａは、ユーザが画像形成装置１にログインした回数である。ログイン回数Ａは、デフォルト設定値として設定された優先起動アプリが起動された回数に相当する。したがって、集計部１５は、ログイン回数Ａとして、操作ログ記憶部１４に記憶された、ログインに対応する操作ログの数を集計すればよい。
【００４８】
切替回数Ｂは、優先起動アプリの起動後に、優先起動アプリが利用されずに他のアプリが起動された回数、すなわち、優先起動アプリが他のアプリに切り替えられた回数である。集計部１５は、切替回数Ｂとして、他のアプリの起動に対応する操作ログのうち、当該操作ログと、ログインに対応する操作ログと、の間に、優先起動アプリの利用に対応する操作ログが存在しない操作ログの数を集計すればよい。優先起動アプリの利用に対応する操作ログには、優先起動アプリの設定項目ボタンやスタートボタンの選択に対応する操作ログが含まれる。
【００４９】
次に、集計部１５は、ユーザ毎に集計したログイン回数Ａ及び切替回数Ｂに基づいて、各ユーザのデフォルト設定値の利用頻度を計算する。
【００５０】
デフォルト設定値の利用頻度は、デフォルト設定値として設定された優先起動アプリの利用率（＝（ログイン回数Ａ−切替回数Ｂ）／ログイン回数Ａ）であってもよいし、所定期間における利用回数（＝ログイン回数Ａ−切替回数Ｂ）であってもよい。利用率の高さや利用回数の多さは、利用頻度の高さに相当する。
【００５１】
また、デフォルト設定値の利用頻度は、デフォルト設定値として設定された優先起動アプリの非利用率（＝切替回数Ｂ／ログイン回数Ａ）であってもよいし、所定期間における非利用回数（＝切替回数Ｂ）であってもよい。非利用率の低さや非利用回数の少なさは、利用頻度の高さに相当する。
【００５２】
また、デフォルト設定値の利用頻度は、利用率、利用回数、非利用率、非利用回数などに応じた離散的なランク（例えば、「高」、「中」及び「低」などのランク）であってもよい。
【００５３】
図８は、本実施形態における集計部１５により集計されたデフォルト設定値の利用頻度の一例を示す図である。図８の例では、利用頻度は非利用率Ｃ、ユーザＩＤがＵ００１であるユーザ（以下、「ユーザ００１」という）のログイン回数Ａは１４回、切替回数Ｂは１１回、非利用率は７９％である。これは、ユーザ００１が、ログイン後に７９％の確率で、デフォルト設定値として設定された優先起動アプリを利用しなかった（他のアプリを利用した）ことを示している。
【００５４】
ユーザがデフォルト設定値として設定された優先起動アプリを利用しない場合、ユーザには、ホーム画面を経由して他のアプリを起動する、という余計な手間がかかる。したがって、デフォルト設定値の利用頻度の低さは、ユーザに余計な手間をかけさせる頻度の高さ、すなわち、ユーザの利便性の低さに相当する。デフォルト設定値の利用頻度が低い（ユーザの利便性が低い）場合、デフォルト設定値の利用をやめ、ユーザ設定値を利用する方が、ユーザの利便性が向上する可能性が高い。そこで、本実施形態では、デフォルト設定値の利用頻度が低い場合に、ユーザ設定値の有効化を管理者に提案し、ユーザ設定値の利用を促進する。
【００５５】
判定部１８は、集計部１５が各ユーザのデフォルト設定値の利用頻度を集計すると、その集計結果に基づいて、優先起動アプリのユーザ設定値を有効化するか否か判定する。具体的には、判定部１８は、非利用率Ｃが所定値Ｃｔｈ以上のユーザの割合が、所定値Ｄｔｈ以上であるか判定する（ステップＳ２０３）。
【００５６】
所定値Ｃｔｈは、デフォルト設定値の利用頻度が低いか否か（利便性が低いか否か）を判定するために予め設定された、非利用率Ｃの閾値である。所定値Ｃｔｈは、例えば、５０％であるが、これに限られない。所定値Ｃｔｈは任意に設定可能である。
【００５７】
所定値Ｄｔｈは、デフォルト設定値の利用頻度が低いユーザ（利便性が低いユーザ）の割合が高いか否かを判定するために予め設定された、ユーザの割合の閾値である。所定値Ｄｔｈは、例えば、５０％であるが、これに限られない。所定値Ｄｔｈは任意に設定可能である。
【００５８】
判定部１８は、非利用率Ｃが所定値Ｃｔｈ以上のユーザの割合が所定値Ｄｔｈ未満である場合（ステップＳ２０３のＮＯ）、すなわち、デフォルト設定値の利用頻度が低いユーザの割合が低い場合、ユーザ設定値を有効化しないと判定する（ステップＳ２１０）。判定部１８は、ユーザ設定値を有効化しないという判定結果を表示部１７に通知する。
【００５９】
一方、判定部１８は、非利用率Ｃが所定値Ｃｔｈ以上のユーザの割合が所定値Ｄｔｈ以上である場合（ステップＳ２０３のＹＥＳ）、すなわち、デフォルト設定値の利用頻度が低いユーザの割合が高い場合、ユーザ設定値を有効化すると判定する（ステップＳ２０４）。判定部１８は、ユーザ設定値を有効化するという判定結果を表示部１７に通知する。
【００６０】
表示部１７は、ユーザ設定値を有効化するという判定結果を通知されると、表示装置１０６に提案メッセージを表示する（ステップＳ２０５）。提案メッセージとは、ユーザ設定値の有効化を管理者に提案するメッセージである。提案メッセージは、ダイアログボックスや専用の画面に表示される。
【００６１】
図９は、提案メッセージを表示する画面の一例を示す図である。図９の画面には、提案メッセージ（ユーザ毎に優先起動アプリを設定する機能を有効化しますか？）と、有効化ボタン（有効にする）と、キャンセルボタンと、利用状況確認ボタンと、が表示されている。
【００６２】
有効化ボタンは、ユーザ設定値を有効化するためのボタンである。キャンセルボタンは、ユーザ設定値を有効化しない（無効化を維持する）ためのボタンである。管理者は、有効化ボタン又はキャンセルボタンを選択することにより、提案に対して回答する。
【００６３】
利用状況確認ボタンは、各ユーザによる優先起動アプリの利用状況を表示するためのボタンである。利用状況として、例えば、集計部１５による集計結果が表示される。利用状況は、ダイアログボックスや専用の画面に表示される。
【００６４】
図１０は、各ユーザによる優先起動アプリの利用状況を表示する画面の一例を示す図である。図１０の画面には、利用状況（集計部１５による集計結果）と、戻るボタンと、が表示されている。戻るボタンは、図９の画面に戻るためのボタンである。
【００６５】
図１０の例のように、各ユーザによる優先起動アプリの利用状況を表示することにより、管理者は、優先起動アプリのデフォルト設定値の利用頻度が低いユーザが多いことを容易に把握することができる。結果として、管理者に、ユーザ設定値の有効化を促すことができる。
【００６６】
提案メッセージを確認した管理者は、上述の通り、有効化ボタンやキャンセルボタンを選択することにより、提案に対する回答を入力する。判定部１８は、操作受付部１３を介して、管理者が入力した回答を受け付ける（ステップＳ２０６）。
【００６７】
判定部１８は、ユーザ設定値を有効化しないという回答を受け付けた場合（ステップＳ２０７のＮＯ）、すなわち、管理者がキャンセルボタンを選択した場合、ユーザ設定値を有効化しないと判定する（ステップＳ２１０）。
【００６８】
一方、判定部１８は、ユーザ設定値を有効化するという回答を受け付けた場合（ステップＳ２０７のＹＥＳ）、すなわち、管理者が有効化ボタンを選択した場合、ユーザ設定値を有効化する（ステップＳ２０８）。具体的には、設定値記憶部１９に記憶された有効フラグを１に変更し、決定部１６にユーザ設定値の決定を指示する。
【００６９】
ユーザ設定値の決定を指示されると、決定部１６は、ユーザ毎に優先起動アプリのユーザ設定値を決定する（ステップＳ２０９）。決定部１６は、管理者に各ユーザの優先起動アプリのユーザ設定値を指定するように要求してもよい。また、決定部１６は、操作ログ記憶部１４に記憶された操作ログに基づいて、ユーザ毎に最も利用頻度が高いアプリを取得し、取得したアプリを各ユーザの優先起動アプリのユーザ設定値として決定してもよい。決定部１６が決定した各ユーザのユーザ設定値は、設定値記憶部１９に記憶される。
【００７０】
以降、ユーザが画像形成装置１にログインすると、優先起動アプリの設定値が、デフォルト設定値からユーザ設定値に切り替えられる。そして、ログインしたユーザのユーザ設定値として設定された優先起動アプリが優先的（自動的）に起動され、当該優先起動アプリのトップ画面が表示装置１０６に表示される。
【００７１】
以上説明した通り、本実施形態によれば、デフォルト設定値として設定された優先起動アプリのデフォルト設定値の利用頻度が低い（ユーザの利便性が低い）場合、ユーザ設定値の有効化が管理者に提案される。このように、ユーザの利便性が低い場合にユーザ設定値の有効化を管理者に提案することにより、設定値を切り替えられることを知らない管理者や、設定値の切り替えを不要と考えている管理者に、ユーザ設定値の有効化を促すことができる。結果として、ユーザ設定値の利用を促進し、ユーザの利便性を向上させることができる。
【００７２】
なお、本実施形態では、判定部１８は、非利用率Ｃが所定値Ｃｔｈ以上のユーザの割合がＤｔｈ以上の場合に、ユーザ設定値を有効化すると判定したが、判定方法はこれに限られない。判定部１８は、例えば、非利用率Ｃが所定値Ｃｔｈ以上のユーザが所定人数以上である場合に、ユーザ設定値を有効化すると判定してもよい。所定人数は、例えば、１人であるが、これに限られない。また、判定部１８は、デフォルト設定値の利用頻度として、非利用率Ｃの代わりに、利用率、利用回数、非利用回数を用いてもよい。いずれの場合も、判定部１８は、デフォルト設定値の利用頻度が低い場合にユーザ設定値を有効化すると判定すればよい。
【００７３】
＜第２実施形態＞
第２実施形態に係る画像形成装置１について、図１１〜図１６を参照して説明する。本実施形態では、ホーム画面が複数のページを有し、各ページにそれぞれ異なるアプリのアプリアイコンが配置される画像形成装置１を想定している。この画像形成装置１では、優先起動アプリは設定されておらず、ユーザのログイン時にはホーム画面の１ページ目が自動的に表示されるものとする。本実施形態では、対象項目がホーム画面の１ページ目にアプリアイコンを配置されるアプリである場合について説明する。
【００７４】
図１１は、本実施形態におけるホーム画面の一例を示す図である。図１１の例では、ホーム画面は、２ページを有する。ホーム画面の１ページ目には、アプリＡ〜Ｃのアプリアイコンが配置され、２ページ目にはアプリＤ，Ｅのアプリアイコンが配置されている。なお、本実施形態において、ホーム画面は、３ページ以上のページを有してもよい。本実施形態では、ホーム画面の１ページ目にアプリアイコンを配置されるアプリをホームアプリ、２ページ目以降のページに配置されるアプリを他のアプリと称する。
【００７５】
以下、本実施形態に係る画像形成装置１が実行する処理について説明する。以下では、ユーザが画像形成装置１を利用する場合の処理と、管理者が画像形成装置１を利用する場合の処理と、についてそれぞれ説明する。なお、本実施形態における画像形成装置１の構成は、第１実施形態と同様である。
【００７６】
図１２は、ユーザが画像形成装置１を利用する場合の画像形成装置１の処理の一例を示すフローチャートである。図１２のフローチャートの開始時点で、ユーザ設定値は無効化されている（有効フラグが０である）ものとする。また、デフォルト設定値として、アプリＡ〜Ｃが設定されているものとする。
【００７７】
まず、ユーザが画像形成装置１にログインする（ステップＳ３０１）。具体的には、ユーザは、認証情報を入力する。認証部１２は、入力された認証情報が、認証情報記憶部１１に記憶された認証情報と一致するか判定する。認証部１２は、認証情報が一致する場合、ユーザを認証する。これにより、ユーザは、画像形成装置１にログインする。
【００７８】
ユーザがログインすると、表示部１７は、設定値記憶部１９に記憶された有効フラグを確認する。有効フラグは０である（ユーザ設定値は無効化されている）ため、表示部１７は、ホームアプリのデフォルト設定値として設定されたアプリＡ〜Ｃのアプリアイコンが配置された、ホーム画面の１ページ目を表示装置１０６に表示する（ステップＳ３０２）。
【００７９】
ユーザは、ホームアプリ（アプリＡ〜Ｃ）のいずれかを利用する場合（ステップＳ３０３のＹＥＳ）、利用するホームアプリのアプリアイコンを選択する。表示部１７は、アプリアイコンを選択されると、選択されたアプリアイコンに対応するホームアプリ（１ページ目のアプリ）を起動し、当該ホームアプリのトップ画面を表示装置１０６に表示する（ステップＳ３０４）。
【００８０】
一方、ユーザは、ホームアプリ（アプリＡ〜Ｃ）以外の他のアプリを利用する場合（ステップＳ３０３のＮＯ）、ホーム画面のページを切り替え、他のアプリのアプリアイコンを選択する。表示部１７は、アプリアイコンを選択されると、選択されたアプリアイコンに対応する他のアプリを起動し、他のアプリのトップ画面を表示装置１０６に表示する（ステップＳ３０７）。
【００８１】
ユーザは、利用するアプリのトップ画面が表示されると、表示中のアプリのトップ画面から当該アプリを操作する（ステップＳ３０５）。ユーザは、所望の操作を終了後、画像形成装置１からログアウトする（ステップＳ３０６）。
【００８２】
なお、操作受付部１３は、以上のステップＳ３０１〜Ｓ３０７におけるユーザの操作をそれぞれ受け付け、受け付けた操作に関する情報（認証情報や他のアプリを示す情報など）を認証部１２や表示部１７に渡す。認証部１２や表示部１７は、操作受付部１３から受け取った情報に基づいて、上記の処理を実行する。また、操作受付部１３は、操作を受け付けるごとに、受け付けた操作の操作ログを生成し、操作ログ記憶部１４に記憶させる。これにより、操作ログ記憶部１４には、図３のような操作ログが記憶される。
【００８３】
図１３は、管理者が画像形成装置１を利用する場合の画像形成装置１の処理の一例を示すフローチャートである。なお、図１３のフローチャートの開始時点で、ユーザ設定値は無効化されているものとする。
【００８４】
まず、管理者が画像形成装置１にログインする（ステップＳ４０１）。具体的には、管理者は、認証情報を入力する。認証部１２は、入力された認証情報が、認証情報記憶部１１に記憶された認証情報と一致するか判定する。認証部１２は、認証情報が一致する場合、管理者を認証する。これにより、管理者は、画像形成装置１にログインする。管理者がログインすると、表示部１７は、管理画面を表示装置１０６に表示する。
【００８５】
また、管理者がログインすると、集計部１５は、集計部１５は、操作ログ記憶部１４に記憶された操作ログに基づいて、優先起動アプリのデフォルト設定値の利用頻度をユーザ毎に集計する（ステップＳ４０２）。具体的には、集計部１５は、ユーザ毎に、アプリの利用回数Ｅを集計する。
【００８６】
利用回数Ｅは、ユーザがアプリを起動した回数（アプリアイコンを選択した回数）に相当する。したがって、集計部１５は、利用回数Ｅとして、操作ログ記憶部１４に記憶された、アプリの起動に対応する操作ログの数を、アプリ毎かつユーザ毎に集計すればよい。ホームアプリの利用回数Ｅは、デフォルト設定値の利用回数に相当する。また、他のアプリの利用回数Ｅは、デフォルト設定値の非利用回数に相当する。
【００８７】
図１４は、本実施形態における集計部１５により集計されたデフォルト設定値の利用頻度の一例を示す図である。図１４の例では、利用頻度は利用回数Ｅであり、ユーザ００１，００２の集計結果がそれぞれ示されている。例えば、ユーザ００１のアプリＡの利用回数Ｅは５０回、アプリＢの利用回数Ｅは１回、アプリＣの利用回数Ｅは８２回、アプリＤの利用回数Ｅは３２回、アプリＥの利用回数Ｅは１５回である。
【００８８】
ユーザがデフォルト設定値として設定されたホームアプリを利用しない場合、ユーザには、ホーム画面のページを切り替えて他のアプリを起動する、という余計な手間がかかる。したがって、デフォルト設定値の利用頻度の低さは、ユーザに余計な手間をかけさせる頻度の高さ、すなわち、ユーザの利便性の低さに相当する。デフォルト設定値の利用頻度が低い（ユーザの利便性が低い）場合、デフォルト設定値の利用をやめ、ユーザ設定値を利用する方が、ユーザの利便性が向上する可能性が高い。そこで、本実施形態では、第１実施形態と同様に、デフォルト設定値の利用頻度が低い場合に、ユーザ設定値の有効化を管理者に提案し、ユーザ設定値の利用を促進する。
【００８９】
判定部１８は、集計部１５が各ユーザのデフォルト設定値の利用頻度を集計すると、その集計結果に基づいて、ホームアプリのユーザ設定値を有効化するか否か判定する。具体的には、判定部１８は、２ページ目以降のページに配置された他のアプリの利用回数Ｅが最大のユーザが所定人数Ｆｔｈ以上であるか判定する（ステップＳ４０３）。
【００９０】
所定人数Ｆｔｈは、デフォルト設定値の利用頻度が低いユーザ（利便性が低いユーザ）が多いか否かを判定するために予め設定された、ユーザの人数の閾値である。所定人数Ｆｔｈは、例えば、１人であるが、これに限られない。所定人数Ｆｔｈは任意に設定可能である。
【００９１】
判定部１８は、他のアプリの利用回数Ｅが最大のユーザが所定人数Ｆｔｈ未満である場合（ステップＳ４０３のＮＯ）、すなわち、デフォルト設定値の利用頻度が低いユーザが少ない場合、ユーザ設定値を有効化しないと判定する（ステップＳ４１０）。判定部１８は、ユーザ設定値を有効化しないという判定結果を表示部１７に通知する。
【００９２】
一方、判定部１８は、他のアプリの利用回数Ｅが最大のユーザが所定人数Ｆｔｈ以上である場合（ステップＳ４０３のＹＥＳ）、すなわち、デフォルト設定値の利用頻度が低いユーザが多い場合、ユーザ設定値を有効化すると判定する（ステップＳ４０４）。判定部１８は、ユーザ設定値を有効化するという判定結果を表示部１７に通知する。
【００９３】
表示部１７は、ユーザ設定値を有効化するという判定結果を通知されると、表示装置１０６に提案メッセージを表示する（ステップＳ４０５）。提案メッセージは、ダイアログボックスや専用の画面に表示される。
【００９４】
図１５は、提案メッセージを表示する画面の一例を示す図である。図１５の画面には、提案メッセージ（ユーザ毎にホームアプリを設定する機能を有効化しますか？）と、有効化ボタン（有効にする）と、キャンセルボタンと、利用状況確認ボタンと、が表示されている。
【００９５】
有効化ボタンは、ユーザ設定値を有効化するためのボタンである。キャンセルボタンは、ユーザ設定値を有効化しない（無効化を維持する）ためのボタンである。管理者は、有効化ボタン又はキャンセルボタンを選択することにより、提案に対して回答する。
【００９６】
利用状況確認ボタンは、各ユーザによる各アプリの利用状況を表示するためのボタンである。利用状況として、例えば、集計部１５による集計結果が表示される。利用状況は、ダイアログボックスや専用の画面に表示される。
【００９７】
図１６は、各ユーザによる優先起動アプリの利用状況を表示する画面の一例を示す図である。図１６の画面には、ユーザ選択欄と、利用状況（集計部１５による集計結果）と、戻るボタンと、が表示されている。ユーザ選択欄は、集計結果を表示するユーザを選択するためのドロップダウンリストである。図１６の例では、ユーザ００１が選択されている。戻るボタンは、図１５の画面に戻るためのボタンである。
【００９８】
図１６の例のように、各ユーザによるホームアプリの利用状況を表示することにより、管理者は、ホームアプリのデフォルト設定値の利用頻度が低いユーザがいることを容易に把握することができる。結果として、管理者に、ユーザ設定値の有効化を促すことができる。
【００９９】
提案メッセージを確認した管理者は、上述の通り、有効化ボタンやキャンセルボタンを選択することにより、提案に対する回答を入力する。判定部１８は、操作受付部１３を介して、管理者が入力した回答を受け付ける（ステップＳ４０６）。
【０１００】
判定部１８は、ユーザ設定値を有効化しないという回答を受け付けた場合（ステップＳ４０７のＮＯ）、すなわち、管理者がキャンセルボタンを選択した場合、ユーザ設定値を有効化しないと判定する（ステップＳ４１０）。
【０１０１】
一方、判定部１８は、ユーザ設定値を有効化するという回答を受け付けた場合（ステップＳ４０７のＹＥＳ）、すなわち、管理者が有効化ボタンを選択した場合、ユーザ設定値を有効化する（ステップＳ４０８）。具体的には、設定値記憶部１９に記憶された有効フラグを１に変更し、決定部１６にユーザ設定値の決定を指示する。
【０１０２】
ユーザ設定値の決定を指示されると、決定部１６は、ユーザ毎にホームアプリのユーザ設定値を決定する（ステップＳ４０９）。決定部１６は、管理者に各ユーザのホームアプリのユーザ設定値を指定するように要求してもよい。また、決定部１６は、操作ログ記憶部１４に記憶された操作ログに基づいて、ユーザ毎に利用頻度が高いアプリを取得し、取得したアプリを各ユーザのホームアプリのユーザ設定値として決定してもよい。決定部１６が決定した各ユーザのユーザ設定値は、設定値記憶部１９に記憶される。
【０１０３】
以降、ユーザが画像形成装置１にログインすると、ホームアプリの設定値が、デフォルト設定値からユーザ設定値に切り替えられる。そして、ログインしたユーザのユーザ設定値として設定されたホームアプリのアプリアイコンが配置された、ホーム画面の１ページ目が表示装置１０６に表示される。
【０１０４】
以上説明した通り、本実施形態によれば、デフォルト設定値として設定されたホームアプリのデフォルト設定値の利用頻度が低い（ユーザの利便性が低い）場合、ユーザ設定値の有効化が管理者に提案される。このように、ユーザの利便性が低い場合にユーザ設定値の有効化を管理者に提案することにより、設定値を切り替えられることを知らない管理者や、設定値の切り替えを不要と考えている管理者に、ユーザ設定値の有効化を促すことができる。結果として、ユーザ設定値の利用を促進し、ユーザの利便性を向上させることができる。
【０１０５】
なお、本実施形態では、判定部１８は、他のアプリの利用回数Ｅが最大のユーザが所定人数Ｆｔｈ以上の場合に、ユーザ設定値を有効化すると判定したが、判定方法はこれに限られない。判定部１８は、例えば、他のアプリの利用回数Ｅが最大のユーザの割合が所定値以上の場合に、ユーザ設定値を有効化すると判定してもよい。所定値は、例えば、５０％であるが、これに限られない。また、判定部１８は、他のアプリの利用回数Ｅが最大のユーザの代わりに、他のアプリの利用回数Ｅが所定値以上のユーザや、ホームアプリの利用回数Ｅが所定値未満のユーザを用いてもよい。いずれの場合も、判定部１８は、デフォルト設定値の利用頻度が低い場合にユーザ設定値を有効化すると判定すればよい。
【０１０６】
また、以上の各実施形態では、決定部１６は、ユーザ設定値の有効化後にユーザ設定値を決定したが、ユーザ設定値が無効化されている間に予めユーザ設定値を決定してもよい。例えば、ユーザがログアウトするたびにユーザ設定値を決定（更新）したり、所定の時間間隔でユーザ設定値を決定（更新）したりすることが考えられる。
【０１０７】
また、ユーザ設定値の有効化の提案は、管理者に対して行われたが、ユーザに対して行われてもよい。ユーザに対してユーザ設定値の有効化を提案する場合、ユーザのログイン時やログアウト時に当該提案を行えばよい。
【０１０８】
また、判定部１８は、管理者からユーザ設定値を有効化するという回答を受け付けた場合にユーザ設定値を有効化したが、ステップＳ２０４，Ｓ４０４においてユーザ設定値を有効化すると判定した場合にユーザ設定値を有効化してもよい。この場合、図７からステップＳ２０５〜Ｓ２０７を省略し、図１３からステップＳ４０５〜Ｓ４０７を省略すればよい。これにより、デフォルト設定値の利用頻度が低い（ユーザの利便性が低い）場合に、ユーザ設定値を自動的に有効化し、ユーザの利便性を向上させることができる。
【０１０９】
また、判定部１８は、全てのユーザの集計結果に基づいて、全てのユーザに対してユーザ設定値を有効化するか否か判定したが、各ユーザの集計結果に基づいて、ユーザ毎にユーザ設定値を有効化するか否か判定してもよい。ユーザ毎にユーザ設定値を有効化するか否か判定する場合の処理について、対象項目が優先起動アプリである場合を例に説明する。
【０１１０】
図１７は、ユーザ毎にユーザ設定値を有効化するか否か判定する場合の処理の一例を示すフローチャートである。図１７のフローチャートは、図７のフローチャートの変形例に相当し、図７のフローチャートにステップＳ２１１，２１２を追加し、ステップＳ２０３をステップＳ２１３に置換したものである。
【０１１１】
図１７の例では、集計部１５が各ユーザのデフォルト設定値の利用頻度を集計した後（ステップＳ２０２）、判定部１８は、ユーザ設定値を有効化するか判定する対象となる対象ユーザを選択する（ステップＳ２１１）。対象ユーザは、操作ログ記憶部１４に操作ログを記憶されたユーザの中から選択される。
【０１１２】
判定部１８は、対象ユーザを選択すると、当該対象ユーザの非利用率Ｃが所定値Ｃｔｈ以上であるか確認する（ステップＳ２１３）。非利用率Ｃが所定値Ｃｔｈ未満である場合（ステップＳ２１３のＮＯ）、処理はステップＳ２１０に進む。
【０１１３】
一方、非利用率Ｃが所定値Ｃｔｈ以上である場合（ステップＳ２１３のＹＥＳ）、処理はステップＳ２０４に進む。以降、ステップＳ２０４〜Ｓ２０９の処理は図７と同様である。すなわち、判定部１８は、対象ユーザのユーザ設定値を有効化すると判定し（ステップＳ２０４）、表示部１７は対象ユーザのユーザ設定値の有効化を提案する提案メッセージを表示する（ステップＳ２０５）。判定部１８は、提案に対する管理者からの回答を受け付ける（ステップＳ２０７）。判定部１８が、有効化しないという回答を受け付けた場合（ステップＳ２０７のＮＯ）、処理はステップＳ２１０に進む。一方、判定部１８は、有効化するという回答を受け付けた場合（ステップＳ２０７のＹＥＳ）、対象ユーザのユーザ設定値を有効化し（ステップＳ２０８）、決定部１６は対象ユーザのユーザ設定値を決定する（ステップＳ２０９）。
【０１１４】
図１７の例では、ステップＳ２０９又はステップＳ２１０の後、判定部１８は、全てのユーザが対象ユーザとして選択されたか確認する（ステップＳ２１２）。対象ユーザとして未選択のユーザが存在する場合（ステップＳ２１２のＮＯ）、処理はステップＳ２１１に戻り、新たなユーザが対象ユーザとして選択される。以降、全てのユーザが対象ユーザとして選択されるまで、ステップＳ２０４〜ステップＳ２１３の処理が繰り返される。
【０１１５】
以上の処理により、ユーザ毎にユーザ設定値を有効化するか判定し、ユーザ毎にユーザ設定値を有効化することができる。これは、対象項目がホームアプリである場合についても同様である。
【０１１６】
また、以上の各実施形態では、全ての処理を画像形成装置１が実行したが、一部の処理が画像形成装置１に接続された１つ又は複数の外部装置により実行されてもよい。すなわち、以上の各実施形態における画像形成装置１の機能が、画像形成装置１を含む画像形成システムにより実現されてもよい。
【０１１７】
図１８は、画像形成システムの一例を示す図である。図１８の画像形成システムは、ネットワークを介して接続された画像形成装置１及びサーバ２，３により構成されている。サーバ２，３のハードウェア構成は、エンジン部１０８を備えない点を除き、画像形成装置１のハードウェア構成と同様である。
【０１１８】
画像形成装置１は、操作受付部１３と、表示部１７と、を備える。サーバ２は、認証情報記憶部１１と、認証部１２と、を備える。サーバ３は、操作ログ記憶部１４と、集計部１５と、決定部１６と、判定部１８と、設定値記憶部１９と、を備える。各機能構成の機能は、上述の各実施形態と同様である。このような構成により、上記の各実施形態と同様の機能及び効果を実現することができる。なお、図１８の例では、サーバ２として、既存の認証サーバを用いることができる。また、サーバ２，３を単一のサーバにより実現することも可能である。また、各機能構成の分配は、図１８の例に限られず、任意に設計可能である。
【０１１９】
また、上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ(Application Specific Integrated Circuit)、ＤＳＰ（Digital Signal Processor）、ＦＰＧＡ（Field Programmable Gate Array）や従来の回路モジュール等のデバイスを含むものとする。
【０１２０】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１２１】
１：画像形成装置
２，３：サーバ
１１：認証情報記憶部
１２：認証部
１３：操作受付部
１４：操作ログ記憶部
１５：集計部
１６：決定部
１７：表示部
１８：判定部
１９：設定値記憶部
【先行技術文献】
【特許文献】
【０１２２】
【特許文献１】特開２０１５−１７４２９８号公報
【図１】
2018132972.tif 000003
【図２】
2018132972.tif 000004
【図３】
2018132972.tif 000005
【図４】
2018132972.tif 000006
【図５】
2018132972.tif 000007
【図６】
2018132972.tif 000008
【図７】
2018132972.tif 000009
【図８】
2018132972.tif 000010
【図９】
2018132972.tif 000011
【図１０】
2018132972.tif 000012
【図１１】
2018132972.tif 000013
【図１２】
2018132972.tif 000014
【図１３】
2018132972.tif 000015
【図１４】
2018132972.tif 000016
【図１５】
2018132972.tif 000017
【図１６】
2018132972.tif 000018
【図１７】
2018132972.tif 000019
【図１８】
2018132972.tif 000020